(57)【特許請求の範囲】
【請求項１】
空気の流れ方向における上流側にて空気を吸い込む吸込口と、
前記吸込口より吸い込んだ空気を排出する排出口と、
前記吸込口と前記排出口とを連通する送風路と、
前記送風路の内部にて前記吸込口から前記排出口へと空気を導く送風部と、
前記送風部の上流側の前記送風路に並列に配した少なくとも２つの分割風路と、
前記分割風路の流出口において前記分割風路に接続された仕切壁と、
前記送風部と前記仕切壁との間に形成された吸込空間と、
少なくとも前記分割風路内の下流側に配置したリファレンスマイクと上流側に配置したスピーカとで前記吸込口より放出される騒音の消音を行う能動消音部とを備え、
前記送風部は、それぞれ吸込開口を有した正面板および背面板、ならびに前記正面板と前記背面板によって挟まれた側面を形成するスクロール板を有したケーシングと、前記ケーシングに内包された遠心ファンと、前記遠心ファンを駆動するモータとを備え、
前記分割風路は、前記正面板側と背面板側にそれぞれ配置され、
前記仕切壁は、前記分割風路と同数の開口を有し、
前記分割風路の流出口は、前記仕切壁の開口に連通されており、
前記吸込空間には、隣接する前記分割風路の間の音の往来を防止する分割壁が設けられ、
前記分割壁は、前記仕切壁において、隣接する前記分割風路の流出口間から前記吸込空間へ延設されている送風装置。
【請求項２】
前記分割壁は、前記吸込空間を前記ケーシングの前記正面板側と前記背面板側の空間に分断するように延設された請求項１に記載の送風装置。
【請求項３】
前記分割風路は、筒体で構成し、
前記リファレンスマイクは、前記送風部の騒音を検知するものであり、前記分割風路を構成する壁面のうち他方の分割風路に隣接する壁面に設置されており、
前記分割壁は、前記他方の分割風路に隣接する壁面の延長上に配置された請求項１または２に記載の送風装置。
【発明の詳細な説明】
【技術分野】
【０００１】
本発明は、騒音を低減した送風装置に関するものである。
【背景技術】
【０００２】
以下、送風装置の一例として、レンジフードについて背景技術を説明する。
【０００３】
近年、住居の間取りの多様化にともない、同一空間に台所とリビングとが設けられるケースが増加している。これに伴いリビングへの騒音の侵入を防止して静粛性を保つため、台所に設置されるレンジフードは運転時に発生する騒音を低下させることがより求められている。また、レンジフードの騒音の周波数特性は広域に分布する傾向があるので、広い周波数域において消音効果を得る必要がある。
【０００４】
このような課題を解決する手段の一つとして、レンジフード内に複数の小径風路により構成された能動消音ユニットを搭載することが知られている。（例えば特許文献１参照）。
【０００５】
以下、そのレンジフードについて図１３を参照しながら説明する。
【０００６】
図１３に示すように、従来のレンジフードは、レンジフード１０１内上方に送風機１０２と中位置に能動騒音ユニット１０３と下方にフード１０４を備えたものであった。このようなレンジフード１０１では、送風機１０２の吸込口１０５とフード１０４の開口１０６との間に複数の小径風路１０７が形成され、それぞれの小径風路１０７に能動騒音装置１０８を備えたものであった。
【０００７】
各小径風路１０７の能動消音装置１０８は、吸込口１０５に近い側からリファレンスマイク１０９、スピーカ１１０、エラーマイク１１１をこの順に配置していた。
【０００８】
そして、送風機１０２の運転によって発生する騒音をリファレンスマイク１０９によって検出し、検出した騒音に対してスピーカ１１０から逆位相の音を発して小径風路１０７内で騒音を打ち消して騒音の低減を図るものであった。
【０００９】
また、一般的にダクト形状の能動消音装置では、平面波が形成される周波数帯域までの制御が可能であり、この周波数Ｆはダクト口径Ｄによって変化することが知られている。具体的には、音速を用いて、Ｆ＝０．５×音速／Ｄから決定する。つまり、ダクト口径を小さくすることで、広帯域にわたり消音することが可能となる。
更に複数の小径風路１０７から能動消音ユニット１０３を構成することで、調理時に発生する油煙を十分に排気するための風量を確保することができる。
【先行技術文献】
【特許文献】
【００１０】
【特許文献１】特開２０１４‐１６３５７０号公報
【発明の概要】
【発明が解決しようとする課題】
【００１１】
しかしながら上記特許文献１に記載のレンジフードでは、複数の小径風路１０７間で互いの制御音が往来する現象（以下クロストーク）が生じる。すなわち、任意の小径風路１０７ａのスピーカ１０９ａから発信された制御音が、小径風路１０７ａの送風機１０２側の開口から放射される。この放射された制御音は、例えば送風機１０２の側面で反射するなどして、隣接する小径風路１０７ｂ内へと伝わり、小径風路１０７ｂのマイク１０８ｂが検知する。その結果、マイク１０８ｂは、消音すべき小径風路１０７ｂの騒音のみを検知できず、消音制御が不安定になり、消音効果が低下することが判明した。
【００１２】
つまり、複数の小径風路１０７から構成することによって生じるクロストークの影響により消音効果が低下するという課題を見出した。
【００１３】
そこで本発明は、上記従来の課題を解決するものであり、能動消音装置の消音効果を向上することができる送風装置を提供することを目的とする。
【課題を解決するための手段】
【００１４】
そして、本発明は上記目的を達成するために、空気の流れ方向における上流側にて空気を吸い込む吸込口と、前記吸込口より吸い込んだ空気を排出する排出口と、前記吸込口と前記排出口とを連通する送風路と、前記送風路の内部にて前記吸込口から前記排気口へと空気を導く送風部と、前記送風部の上流側の前記送風路に並列に配した少なくとも２つの分割風路と、前記分割風路の流出口において分割風路に接続された仕切壁と、前記送風部と前記仕切壁間に形成された吸込空間と、少なくとも前記分割風路内の下流側に配置したリファレンスマイクと上流側に配置したスピーカとで前記吸込口より放出される騒音の消音を行う能動消音部とを備え、前記送風部は、それぞれ吸込開口を有した正面板および背面板、ならびに前記正面板と背面板によって挟まれた側面を形成するスクロール板を有したケーシングと、前記ケーシングに内包された遠心ファンと、前記遠心ファンを駆動するモータとを備え、前記分割風路は、前記正面板側と背面板側にそれぞれ配置し、隣接する前記分割風路の間の音の往来を防止する分割壁を前記吸込空間に備えたものであって、これによって所期の目的を達成するものである。
【発明の効果】
【００１５】
本発明によれば、二つの分割風路間で生じるクロストークの影響を軽減した送風装置を提供することができる。
【図面の簡単な説明】
【００１６】
【図１】本発明の実施の形態１に係るレンジフードの設置状態を示す図
【図２】本発明の実施の形態１に係るレンジフードの概略構成を示す図
【図３】本発明の実施の形態１に係る排気部の側断面図
【図４】本発明の実施の形態１に係るレンジフードの側断面図
【図５】本発明の実施の形態１のレンジフードにおける分割壁を備えない場合の排気部側断面図
【図６】本発明の実施の形態１に係るレンジフードのケーシング周辺を示す斜視図
【図７】本発明の実施の形態１に係るレンジフードの排気部の断面図
【図８】本発明の実施の形態２に係るレンジフードのケーシング周辺を示す斜視図
【図９】本発明の実施の形態３に係るレンジフードのケーシング周辺を示す斜視図
【図１０】本発明の実施の形態４に係るレンジフードのケーシング周辺を示す斜視図
【図１１】本発明の実施の形態５に係るレンジフードのケーシング周辺を示す斜視図
【図１２】本発明の実施の形態５に係わるレンジフードの排気部の断面図
【図１３】従来のレンジフードの側断面図
【発明を実施するための形態】
【００１７】
本発明の請求項１に係わる送風装置は、空気の流れ方向における上流側にて空気を吸い込む吸込口と、前記吸込口より吸い込んだ空気を排出する排出口と、前記吸込口と前記排出口とを連通する送風路と、前記送風路の内部にて前記吸込口から前記排気口へと空気を導く送風部と、前記送風部の上流側の前記送風路に並列に配した少なくとも２つの分割風路と、前記分割風路の流出口において分割風路に接続された仕切壁と、前記送風部と前記仕切壁間に形成された吸込空間と、少なくとも前記分割風路内の下流側に配置したリファレンスマイクと上流側に配置したスピーカとで前記吸込口より放出される騒音の消音を行う能動消音部とを備え、前記送風部は、それぞれ吸込開口を有した正面板および背面板、ならびに前記正面板と背面板によって挟まれた側面を形成するスクロール板を有したケーシングと、前記ケーシングに内包された遠心ファンと、前記遠心ファンを駆動するモータとを備え、前記分割風路は、前記正面板側と背面板側にそれぞれ配置し、隣接する前記分割風路の間の音の往来を防止する分割壁を前記吸込空間に備えるという構成を有する。
【００１８】
これにより、隣接する分割風路間において、互いのスピーカから発生する制御音が往来することを防止することができる。すなわちクロストークの発生が抑制され、リファレンスマイクが隣接する分割風路のスピーカが発生する制御音を検知することなく、正確に騒音を検知することが可能となる。その結果、能動消音装置の消音効果を向上することができる。
【００１９】
また、本発明の請求項２に係わる送風装置は、前記仕切壁は、分割風路と同数の開口を有し、前記分割風路の流出口は、前記仕切壁の開口に連通されており、前記仕切壁において、隣接する前記分割風路の流出口間から前記吸込空間へ前記分割壁を延設した構成を有する。
【００２０】
これにより、隣接する分割風路間において、互いのスピーカから発生する制御音が分割風路の流出口から放出されて他方の分割風路内まで伝わる音の伝播経路を長くすることができる。すなわちクロストークの発生が抑制され、マイクが隣接する分割風路のスピーカが発生する制御音を検知することなく、正確に騒音を検知することが可能となる。その結果、能動消音装置の消音効果を向上することができる。
【００２１】
また、本発明の請求項３に係わる送風装置は、前記分割壁は、前記吸込空間を前記ケーシングの正面板側と背面板側の空間に分断するように延設された構成を有する。
【００２２】
これにより、隣接する分割風路において、互いのスピーカから発生され分割風路の流出口から放出される制御音は、分割壁によって遮蔽される。すなわち、分割風路の流出口から放射された制御音が、吸込空間を伝播して隣接する分割風路内に侵入することを防止できる。したがって、より効率よくクロストークの発生が抑制され、マイクが隣接する分割風路のスピーカが発生する制御音を検知することなく、正確に騒音を検知することが可能となる。その結果、能動消音装置の消音効果を向上することができる。
【００２３】
また、本発明の請求項４に係わる送風装置は、前記分割風路は、筒体で構成し、前記リファレンスマイクは、前記送風部の騒音を検知するものであり、前記分割風路を構成する壁面のうち他方の分割風路に隣接する壁面に設置されており、前記分割壁は、前記他方の分割風路に隣接する壁面の延長上に配置されているという構成を有する。
【００２４】
これにより、分割壁により、隣接する分割風路間において、互いのスピーカから発生する制御音が往来することを防止することができ、クロストークを防止することができる。更に、リファレンスマイクが設置されている分割風路の壁面端部が分割壁により延長されるため、分割風路の流出口で生じる気流の渦や乱れを抑制し、気流の渦や乱れによるノイズの発生を防止することができる。これにより、マイクは対応する分割風路の騒音のみを検知することが可能となる。その結果、能動消音装置の消音効果を向上することができる。
【００２５】
以下、送風装置の一例としてレンジフードを用いて、本発明の実施の形態につき説明し、本発明の理解に供する。なお、以下の実施の形態は、本発明を具体化した一例であって、本発明の技術的範囲を限定するものではない。また、全図面を通して、同一の部位については同一の番号を付して二度目以降の説明は省略している。
【００２６】
（実施の形態１）
まず、図１を用いて本実施の形態に係るレンジフードの設置状態について説明する。なお、図１は、本発明の実施の形態１に係るレンジフードの設置状態を示す図である。
【００２７】
図１に示すように、厨房に取り付けるレンジフード１は、加熱調理機器２の上方に取り付けられている。このレンジフード１は、加熱調理機器２の上面を覆うように配置したフード部３と、このフード部３の中央上面側に突出して形成した排気部４から構成される。また、排気部４の上方（排気方向）には、ダクト５が接続されており、排気部４からの排気を例えば室外に排出するための風路を構成する。なお、図１における矢印Ｘ方向から見た際のレンジフード１の一側面、すなわち調理者が調理時に向かい合うレンジフードの面をレンジフード正面と定義する。また、レンジフードを操作する操作部６はフード部３のレンジフード正面に配置されている。
【００２８】
続いて、図２を用いて本実施の形態に係るレンジフード１の構成について説明する。
図２は、本発明の実施の形態１に係るレンジフードの概略構成を示す図である。図２では、理解に供するために排気部４のレンジフード正面側のパネルを外した状態を示しており、フード部３の捕集開口部７に備えられた整流板８を点線で表している。
【００２９】
図２に示すように、レンジフード１は、直方体の排気部４とこの排気部４の下部（図の下方向であって、後述する上流方向）にフード部３を備えている。
【００３０】
フード部３は、天面板９と、天面板９の中央部に設けた下流側開口部１０と、この天面板９の外周を囲む側壁１１と、周回した側壁１１によって下面側に形成した捕集開口部７と、下流側開口部１０の下方（図面の下方向であって、後述する上流方向）であって、捕集開口部７の略中央に設置する整流板８を備えたものである。
【００３１】
天面板９は、フード部３の上面を構成する。
【００３２】
下流側開口部１０は、断面が略正方形の開口であって、天面板９の上方に設けた排気部４に連通している。
【００３３】
整流板８は、捕集開口部７よりも小さく形成し、下流側開口部１０を下方から覆うように配置された板体である。これにより、側壁１１の内側周縁と整流板８の外側周縁とによって、フード部３への空気の取り込み口となる捕集口１２が形成されている。なお、整流板８を捕集開口部７の略中央に設置するとは、捕集口１２を通過する気流の速度を確保するために、整流板８の外周と捕集開口部７との間に隙間を開けて配置した状態を言う。
【００３４】
排気部４は、天面１３（図面の上方向であって、後述する下流方向）に開口した排出口１５と、下部に開口した吸込口１６を有する、縦長の直方体形状である。排出口１５にダクト５を接続することで、レンジフード１を屋外に連通させることができる。なお、ダクト５はレンジフード１には含まれない。また、吸込口１６はフード部３の下流側開口部１０と連通されている。
【００３５】
排気部４の内部は、吸込口１６と排出口１５とを連通する送風路１７と、この送風路１７を上流側と下流側とを仕切る仕切壁１８を備えている。仕切壁１８の下流側の送風路１７には、吸込空間１９が形成され、排出口１５と連接した送風部２０が備えられている。
【００３６】
送風部２０は、それぞれ流入口２１を有した正面板２２および背面板２３（図３に示す）、ならびに正面板２２と背面板２３によって挟まれた側面を形成するスクロール板２４を有したケーシング２５と、ケーシング２５に内包された遠心ファン２６と、遠心ファン２６を駆動するモータ（図示せず）とから構成されている。
【００３７】
換言すると、ケーシング２５は、排出口１５に連接する吐出口２７と、送風路１７側に開口する流入口２１とを備えている。ここで、流入口２１はケーシング２５の正面板２２および背面板２３のそれぞれに、レンジフード１正面側から見て垂直に開口して設けられている。また、送風部２０は、排気部４の上部にあって、吸込口１６と排出口１５とを結び、送風路１７内の空気を排気するものである。
【００３８】
また、図３に示すように、仕切壁１８は、排気部４内に略水平に配置した板体であり、前述のように送風路１７を上流側と下流側とを仕切るものであるが、送風路１７の一部をなす開口２８を備えたものでもある。
【００３９】
さて、仕切壁１８の上流側には、送風路１７の上流側で並列に配した二つの風路である分割風路２９を備えている。また、分割風路２９は、吸入口３０と流出口３１を備えた筒状の風路である。
【００４０】
流出口３１は、開口２８に連接し、仕切壁１８の開口２８を介してケーシング２５のスクロール板２４に少なくとも一部を対面して、吸込空間１９へ開口している。
【００４１】
同様に、吸入口３０は、仕切壁１８に対向して吸込口１６に設けた開口板３２（上流側板）の吸込開口３３に連接している。そして、吸込開口３３を吸込口１６内に位置させて、吸入口３０をフード部３内に連通させている。
【００４２】
このようにして、吸込口１６と吸込空間１９とを連通している。
【００４３】
なお、開口２８と吸込開口３３は分割風路２９と同数備えればよい。
【００４４】
また、２つの分割風路２９は、それぞれ送風部２０の下方（後述する上流側）でケーシング２５の正面板２２側と背面板２３側になるように並列に配置されている。つまり、レンジフード１の側面視において左右に配置されている。
【００４５】
以上の説明では、レンジフード１の正面に対して、ケーシング２５の正面板２２を対向するように配置しているが、送風部２０は、正面板２２がレンジフード１の側面へ対向するように配置してもよい。この場合、分割風路２９は、ケーシング２５の正面板２２と背面板２３の配置に対応して備えるものである。
【００４６】
ここで、吸込空間１９は仕切壁１８と送風部２０との間に形成される空間、すなわち仕切壁１８の下流側であり送風部２０を配置する排気部４内の空間を示している。そして、吸込空間１９には、仕切壁１８からスクロール板２４へと分割壁３４が延設されている。
【００４７】
続いて、ケーシング２５の正面板２２側と背面板２３側に並んだ分割風路２９間の音の往来を防止する分割壁３４について、図６、図７を用いて説明を加える。なお、図６は本発明の実施の形態１に係るレンジフードのケーシング２５周辺（分割風路２９の流出口３１を含む）を示す斜視図である。なお図６では、理解に供するために排気部４の外郭３６うち一面を省略しており、排気部４のレンジフード正面側のパネルを外した状態を示している。図７は、本発明の実施の形態１に係るレンジフードの排気部４の断面図である。
【００４８】
図６に示すように、分割壁３４は、鉛直縦向きに吸込空間１９に設けられた板部材であり、ケーシング２５のスクロール板２４の下端と、仕切壁１８上の二つの開口２８に挟まれた領域（面）とを接続している。二つの開口２８は、ケーシング２５の正面板２２側と背面板２３側に並んだ２つの分割風路２９の流出口３１をそれぞれ連接したものである。また、分割壁３４の幅は、レンジフード正面視において分割風路２９の流出口３１が配置される範囲よりも広いものである。
【００４９】
つまり、本実施の形態における分割壁３４はレンジフード側面視において２つの分割風路２９の流出口３１間で吸込空間１９の少なくとも一部（ケーシング２５の下部側）をケーシング２５の正面板２２側と背面板２３側とに分けるように設置されている。
【００５０】
また、図３に示すように分割風路２９は周囲を内壁３５に囲まれた筒体で構成されている。内壁３５のさらに外側には、排気部４の外郭３６の内側である内側壁３７が位置し、外部への騒音の放出を押さえる構成となっている。
【００５１】
続いて、能動消音部３８の構成について詳しく説明する。能動消音部３８は、図３に示すように、複数の分割風路２９それぞれの内壁３５に送風部２０側から順に、リファレンスマイク３９、スピーカ４０、エラーマイク４１を備えている。加えて、リファレンスマイク３９とエラーマイク４１の信号から位相と振幅を調整した音声信号を生成してスピーカ４０から発振させる演算制御器４２を備えている。
【００５２】
なお、エラーマイク４１とスピーカ４０は、分割風路２９の高さ方向において中央部より吸込口１６側に寄せると共に、リファレンスマイク３９は、同じように中央部より騒音源である送風部２０側に寄せて設置している。結果としてエラーマイク４１とスピーカ４０とはリファレンスマイク３９に比べて送風部２０から遠い位置に配置されている。
【００５３】
演算制御器４２は、エラーマイク４１、スピーカ４０、リファレンスマイク３９に接続されており、分割風路２９と排気部４の内側壁３７との間の空間４３に配置されている。この空間４３は、排気部４の内側壁３７を一周する角筒形状を成している。開口板３２は、吸込口１６側で空間４３を閉鎖するように、分割風路２９の上流端で吸込開口３３から水平方向に伸びている。また、仕切壁１８は、吸込空間１９側で空間４３を閉鎖するように、分割風路２９の下流端から排気部４の内側壁３７へ伸びている。すなわち前記空間４３は、開口板３２と仕切壁１８によって挟まれ、送風路１７とは独立した空間を構成している。このように、送風路１７とは独立した空間に演算制御器４２を備えることで、煙や油煙、あるいは湯気等から隔離している。
【００５４】
上記構成において、図４を用いて、レンジフード１の動作について説明する。なお、図４は、本発明の実施の形態１に係るレンジフードの側断面図である。なお図４では、理解に供するためにフード部３の捕集開口部７に備えられた整流板８を点線で表している。
【００５５】
レンジフード１を運転させると、送風部２０の動作によって、図４に破線で示すように捕集口１２によって空気が捕集され、吸込口１６からダクト５方向に流れる気流が発生し、調理時に下方（上流方向）から上昇してくる油煙や水蒸気を含んだ空気を捕集することとなる。
【００５６】
吸込口１６から吸い込まれた空気は、分割風路２９、吸込空間１９、流入口２１、送風部２０の順に送風路１７を通過した後、吐出口２７からダクト５を通って排気部４外へと排気される。分割風路２９に能動消音部３８を備えていることで、分割風路２９から放射される騒音はリファレンスマイク３９で検出されて、演算制御器４２によってコントロールされた逆位相の音をスピーカ４０から発することとなり、送風に伴う送風部２０の騒音は低減される。そして、捕集口１２からは低減された騒音が放射されることになる。
【００５７】
以上が本実施の形態のレンジフード１の基本的な動作である。
【００５８】
次に本実施の形態のレンジフード１が解決するクロストーク現象について図５を用いて説明する。なお、図５は分割壁３４を備えない場合の排気部４の側断面図である。図５では、二つの分割風路２９間で発生する現象を解りやすく説明するために、それぞれ、対応する構成要件の符号のあとに「ａ」、「ｂ」を付与している。
【００５９】
すなわち、分割風路２９は、分割風路２９ａと分割風路２９ｂとし、リファレンスマイク３９は、リファレンスマイク３９ａとリファレンスマイク３９ｂとし、スピーカ４０は、スピーカ４０ａとスピーカ４０ｂとし、エラーマイク４１は、エラーマイク４１ａとエラーマイク４１ｂ、流出口３１は、流出口３１ａと流出口３１ｂとしている。
【００６０】
さて先述したように、リファレンスマイク３９ａが検出した騒音に対し、スピーカ４０ａは逆位相の制御音を分割風路２９ａ内へ放射する。この制御音は分割風路２９ａ内を伝わる騒音に作用し、図２にて説明した捕集口１２からは低減された音が放射されることとなる。ところが、このとき分割風路２９ａのスピーカ４０ａが発生する制御音の一部は図５の点線で示すように、分割風路２９ａ内を伝わり、分割風路２９ａの流出口３１ａより吸込空間１９へと放射される。そして、吸込空間１９へ放射された制御音は吸込空間１９内を伝わり、あるいはケーシング２５のスクロール板２４で反射して隣接する分割風路２９ｂ内へと侵入する。そして、隣接する分割風路２９ｂ内のリファレンスマイク３９ｂがこの制御信号を検知する現象が生じる。この現象をクロストークといい、このクロストークによって隣接する分割風路２９ｂのリファレンスマイク３９ｂは、それぞれが対応する分割風路２９の正しい騒音を検出できなくなる。その結果、能動消音部３８の制御が不安定になり、消音効果が低下することとなる。これは分割風路２９ａにおいても同様に発生する。
【００６１】
これに対して本実施の形態のレンジフード１では、すでに説明したように、分割壁３４は、レンジフード側面視において２つの分割風路２９の流出口３１間で吸込空間１９の少なくとも一部（ケーシング２５の下部側）をケーシング２５の正面板２２側と背面板２３側とに分けるように設置されている。
【００６２】
これにより、図７に示すように、一方の分割風路２９の流出口３１から吸込空間１９へ放出されたスピーカ４０の制御音は、分割壁３４によって遮蔽される。つまり、互いのスピーカ４０から発生する制御音が分割風路２９の流出口３１から吸込空間１９を介して他方の分割風路２９内まで伝わる音の伝播経路を長くすることができ、これにより制御音は十分に減衰するため他方の分割風路２９内に侵入することを防ぐことができる。その結果、ケーシング２５の正面板２２側と背面板２３側に並んだ分割風路２９間におけるクロストークは発生せず、能動消音装置の効果を向上することができる。なお、隣接する分割風路２９間の音の伝播経路を長くするため、分割壁３４の幅および高さはより大きいほうが望ましい。
【００６３】
なお、本実施の形態では、分割壁３４はケーシング２５のスクロール板２４の下端と仕切壁１８とを接続しているが、例えば分割壁３４の下流側端部をケーシング２５のスクロール板２４に接続しない構成としてもよい。この構成でも、分割風路２９間の音の往来を防止することができる。
【００６４】
なお、本実施の形態では、レンジフード１の正面視において分割風路２９の中心軸は同一線上としているが、分割風路２９の中心軸がレンジフード１の中心軸に対して左右方向どちらか一方にずれていても良い。
【００６５】
以上のように、吸込空間１９にケーシング２５のスクロール板２４の下端と仕切壁１８とを接続するように、分割壁３４を備えることで、高い消音性能を確保したレンジフード１を実現することができる。
【００６６】
（実施の形態２）
続いて、図８を用いて本実施の形態２に係るレンジフードについて説明する。なお、図８は本発明の実施の形態２に係るレンジフードのケーシング２５周辺（分割風路２９の流出口３１を含む）を示す斜視図である。なお図８では、理解に供するために排気部４の外郭３６のうち一面を省略しており、排気部４のレンジフード正面側のパネルを外した状態を示している。
【００６７】
図８に示すように、実施の形態２におけるレンジフードでは、遠心ファン２６の中心軸より上流側の吸込空間１９を正面側と背面側に分断する分割壁３４を設けている。すなわち、分割壁３４は、鉛直縦向きに吸込空間１９に設けられた板部材であり、ケーシング２５のスクロール板２４と、仕切壁１８の二つの開口２８に挟まれた領域（面）とを接続している。
【００６８】
ここで、分割壁３４のスクロール板２４に接する部分はスクロール板２４の曲面に沿った形状とし、隙間なく設置されている。また、分割壁３４は板部材であり、遠心ファン２６の中心軸の高さまで鉛直縦向きに延長されている。
【００６９】
つまり、本実施の形態における分割壁３４はレンジフード側面視においてケーシング２５の正面板２２側と背面板２３側に並んだ２つの分割風路２９の流出口３１間を分けるように設置されている。すなわちこの分割壁３４により、遠心ファン２６の中心軸より上流側の吸込空間１９において２つの分割風路２９間はケーシング２５の正面板２２側と背面板２３側とに空間的に分断されている。さらに、分割壁３４はケーシング２５のスクロール板２４と、仕切壁１８と、排気部４の内側壁３７とを接続するように備えている。
【００７０】
これにより、一方の分割風路２９の流出口３１から吸込空間１９へ放出されたスピーカ４０の制御音は、分割壁３４によって遮蔽され、制御音は遠心ファン２６の中心軸より下流側の吸込空間１９を介して他方の分割風路２９側へ伝播する。つまり、互いのスピーカ４０から発生する制御音が分割風路２９の流出口３１から他方の分割風路２９内まで伝わる音の伝播経路をより長くすることができ、これにより制御音は十分に減衰するため他方の分割風路２９内に侵入することを防ぐことができる。その結果、ケーシング２５の正面板２２側と背面板２３側に並んだ分割風路２９間におけるクロストークは発生せず、能動消音装置の効果を向上することができる。
【００７１】
以上のように、吸込空間１９にケーシング２５のスクロール板２４と、仕切壁１８と、排気部４の内側壁３７とを接続するように、分割壁３４を備えることで、高い消音性能を確保したレンジフード１を実現することができる。
【００７２】
（実施の形態３）
続いて、図９を用いて本実施の形態３に係るレンジフードについて説明する。なお、図９は本発明の実施の形態３に係るレンジフードのケーシング２５周辺（分割風路２９の流出口３１を含む）を示す斜視図である。なお図９では、理解に供するために排気部４の外郭３６うち一面を省略しており、排気部４のレンジフード正面側のパネルを外した状態を示している。
【００７３】
図９に示すように、実施の形態２におけるレンジフードでは、吸込空間１９に２箇所の折り曲げ部を有する分割壁３４を設けている。分割壁３４は、３面の分割壁面４４から構成される。１枚の板部材を折り曲げて３つの分割壁面４４ａ、４４ｂ、４４ｃを形成する構成としている。すなわち、分割壁面４４は、仕切壁１８の開口２８に挟まれた領域（面）からケーシング２５の下部および排気部４の側面へ延設した形状とした分割壁面４４ａと、ケーシング２５の正面板２２を上方へおよび排気部４の側面へ延設した形状とした分割壁面４４ｂと、遠心ファン２６の中心軸の高さ位置で分割壁面４４ａと分割壁面４４ｂを水平方向に接続する分割壁面４４ｃから構成している。分割壁面４４ａ、４４ｂ、４４ｃいずれも排気部４の側面において内側壁３７に接続している。
【００７４】
さらに、分割壁面４４ａのスクロール板２４に接する部分はスクロール板２４の曲面に沿った形状とし、隙間なく設置されている。分割壁面４４ｂは、ケーシング２５の流入口２１における気流の流れを阻害しないよう流入口２１と重ならない形状とする。
【００７５】
つまり本実施の形態における分割壁３４は、レンジフード側面視においてケーシング２５の正面板２２側と背面板２３側に並んだ２つの分割風路２９の流出口３１間を分けるように設置されている。すなわちこの分割壁３４により、吸込空間１９の２つの分割風路２９間はケーシング２５の正面板２２側と背面板２３側の空間に分断されている。
【００７６】
これにより、一方の分割風路２９のスピーカ４０が発生し、流出口３１から吸込空間１９へ放出された制御音は、分割壁３４によって遮蔽されるため、他方の分割風路２９内に侵入することを防ぐことができる。その結果、ケーシング２５の正面板２２側と背面板２３側に並んだ分割風路２９間におけるクロストークは発生せず、能動消音装置の効果を向上することができる。
【００７７】
また、分割壁面４４ｂによりケーシング２５の正面板２２をフラット化し、ケーシング２５と排気部４の内側壁３７との隙間をなくすことで油等の拭き取りが容易になり、お手入れ性を向上する効果も有する。
【００７８】
なお本実施の形態では、１枚の板部材を折り曲げて３つの分割壁面４４ａ、４４ｂ、４４ｃを形成する構成としているが、吸込空間１９において２つの分割風路２９間が正面側と背面側とに空間的に分断されていれば良く、例えば分割壁面４４はそれぞれの分割壁面４４ａ、４４ｂ、４４ｃを別々の部品で構成してもよい。また、本実施の形態では、分割壁面４４は、遠心ファン２６の中心軸の高さ位置に分割壁面４４ｃを設けて、側面視においてクランク状に形成しているが、分割壁面４４ｃは、中心軸の高さよりも高いもしくは低い位置に設けても良い。これらの構成でも同様の効果を得ることができる。
【００７９】
以上のように、吸込空間１９において２つの分割風路２９に連接した開口２８間で正面側と背面側とに空間的に分断するように、分割壁３４を備えることで、高い消音性能を確保したレンジフード１を実現することができる。
【００８０】
（実施の形態４）
続いて、図１０を用いて本実施の形態４に係るレンジフードについて説明する。なお、図１０は本発明の実施の形態４に係るレンジフードのケーシング２５周辺（分割風路２９の流出口３１を含む）を示す斜視図である。なお図１０では、理解に供するために排気部４の外郭３６うち一面を省略しており、排気部４のレンジフード正面側のパネルを外した状態を示している。
【００８１】
図１０に示すように、実施の形態２におけるレンジフードでは、吸込空間１９に仕切壁１８と排気部４の天面１３とを接続する分割壁３４を設けている。すなわち、分割壁３４は、ケーシング２５のスクロール板２４と、仕切壁１８であってケーシング２５の正面板２２側と背面板２３側に並んだ２つの分割風路２９に挟まれた領域（面）と、排気部４の側面側の内側壁３７と排気部４の天面１３の内側壁３７とを接続している。ここで、分割壁３４のスクロール板２４に接する部分はスクロール板２４の曲面に沿った形状とし、隙間なく設置されている。
【００８２】
つまり本実施の形態における分割壁３４はレンジフード側面視においてケーシング２５の正面板２２側と背面板２３側に並んだ２つの分割風路２９の流出口３１間を分けるように設置されている。すなわちこの分割壁３４により、吸込空間１９において２つの分割風路２９間はケーシング２５の正面板２２側と背面板２３側とに空間的に分断されている。
【００８３】
これにより、一方の分割風路２９の流出口３１から吸込空間１９へスピーカ４０が放出した制御音は、分割壁３４によって遮蔽されるため、他方の分割風路２９内に侵入することを防ぐことができる。その結果、ケーシング２５の正面板２２側と背面板２３側に並んだ分割風路２９間におけるクロストークは発生せず、能動消音装置の効果を向上することができる。
【００８４】
以上のように、吸込空間１９において２つの分割風路２９間が正面側と背面側とに空間的に分断するように、分割壁３４を備えることで、高い消音性能を確保したレンジフード１を実現することができる。
【００８５】
（実施の形態５）
続いて、図１１、図１２を用いて本実施の形態５に係るレンジフードについて説明する。なお、図１１は本発明の実施の形態５に係るレンジフードのケーシング２５周辺（分割風路２９の流出口３１を含む）を示す斜視図である。なお図１１では、理解に供するために排気部４の外郭３６うち一面を省略しており、排気部４のレンジフード正面側のパネルを外した状態を示している。図１２は、本発明の実施の形態５に係るレンジフードの排気部４の断面図である。
【００８６】
図１１に示すように、実施の形態２におけるレンジフードでは、ケーシング２５の正面板２２側と背面板２３側に並んだ２つの分割風路２９において、それぞれ他方の分割風路２９に隣接する内壁３５の延長上に分割壁３４を設けている。それぞれの分割壁３４はケーシング２５のスクロール板２４と、仕切壁１８と、排気部４の側面側の内側壁３７とを接続するものである。分割壁３４と仕切壁１８との接続部は、分割風路２９の流出口３１の縁部４６のうち他方の分割風路２９の流出口３１に隣接する縁部４６を含んでいる。ここで、分割壁３４のスクロール板２４に接する部分はスクロール板２４の曲面に沿った形状とし、隙間なく設置されている。また、分割壁３４は板部材であり、遠心ファン２６の中心軸の高さまで鉛直縦向きに延長されている。
【００８７】
つまり２つの分割壁３４は、遠心ファン２６の中心軸より上流側の吸込空間１９を、ケーシング２５の正面板２２側の空間と背面板２３側の空間と２つの分割壁３４に挟まれた空間とに分けるように設置されている。すなわち、これら分割壁３４により、遠心ファン２６の中心軸より上流側の吸込空間１９において２つの分割風路２９間はケーシング２５の正面板２２側と背面板２３側とに空間的に分断されている。
【００８８】
これにより、一方の分割風路２９の流出口３１から吸込空間１９へ放出されたスピーカ４０の制御音は、分割壁３４によって遮蔽され、制御音は遠心ファン２６の中心軸より下流側の吸込空間１９を介して他方の分割風路２９側へ伝播する。つまり、互いのスピーカ４０から発生する制御音が分割風路２９の流出口３１から他方の分割風路２９内まで伝わる音の伝播経路をより長くすることができ、これにより制御音は十分に減衰するため他方の分割風路２９内に侵入することを防ぐことができる。その結果、ケーシング２５の正面板２２側と背面板２３側に並んだ分割風路２９間におけるクロストークは発生せず、能動消音装置の効果を向上することができる。
【００８９】
またリファレンスマイク３９は、図１２に示すように、ケーシング２５の正面板２２側と背面板２３側に並んだ２つの分割風路２９において、それぞれ他方の分割風路２９に隣接する内壁３５に設置されている。ここで分割壁３４は、分割風路２９の内壁３５のうち他方の分割風路２９に隣接する内壁３５の延長上に分割壁３４を設けている。すなわち、分割壁３４により、リファレンスマイク３９が設置された内壁３５の端部が延長された構成となる。
【００９０】
これにより、分割風路２９の流出口３１のうちリファレンスマイク３９が設置された内壁３５の縁部４６における気流の渦や乱れが抑制され、気流の渦や乱れによるノイズの発生を防止することができる。これにより、リファレンスマイク３９は対応する分割風路２９騒音のみを検知することが可能となる。
【００９１】
以上のように、隣接する分割風路２９において、それぞれ他方の分割風路２９に隣接する内壁３５の延長上に分割壁３４を備えることで、高い消音性能を確保したレンジフード１を実現することができる。
（変形例）
以上、送風装置の中でも特に消音が必要とされる一例として、レンジフードの消音技術について説明を行った。しかしながら、本発明はレンジフードに限定する必要は無く、空気清浄機や除湿機、換気扇など、送風により騒音が発生する送風装置であれば適用することができる。
【００９２】
また、本実施の形態では、２つの分割風路２９から構成されているが、消音対象の周波数帯域に応じて分割風路２９の数を増やしても良い。
【産業上の利用可能性】
【００９３】
本発明は、レンジフード、空気清浄機、除湿機、換気扇など、送風により騒音が発生する送風装置に適用できる技術として有用である。
【符号の説明】
【００９４】
１  レンジフード
２  加熱調理機器
３  フード部
４  排気部
５  ダクト
６  操作部
７  捕集開口部
８  整流板
９  天面板
１０  下流側開口部
１１  側壁
１２  捕集口
１３  天面
１５  排出口
１６  吸込口
１７  送風路
１８  仕切壁
１９  吸込空間
２０  送風部
２１  流入口
２２  正面板
２３  背面板
２４  スクロール板
２５  ケーシング
２６  遠心ファン
２７  吐出口
２８  開口
２９  分割風路
３０  吸入口
３１  流出口
３２  開口板
３３  吸込開口
３４  分割壁
３５  内壁
３６  外郭
３７  内側壁
３８  能動消音部
３９  リファレンスマイク
４０  スピーカ
４１  エラーマイク
４２  演算制御器
４３  空間
４４  分割壁面
４４ａ、４４ｂ、４４ｃ  分割壁面
４６  縁部
【図１】
0006617279.tif 000002
【図２】
0006617279.tif 000003
【図３】
0006617279.tif 000004
【図４】
0006617279.tif 000005
【図５】
0006617279.tif 000006
【図６】
0006617279.tif 000007
【図７】
0006617279.tif 000008
【図８】
0006617279.tif 000009
【図９】
0006617279.tif 000010
【図１０】
0006617279.tif 000011
【図１１】
0006617279.tif 000012
【図１２】
0006617279.tif 000013
【図１３】
0006617279.tif 000014